【手続補正書】
【提出日】平成17年4月5日(2005.4.5)
【手続補正１】
【補正対象書類名】明細書
【補正対象項目名】特許請求の範囲
【補正方法】変更
【補正の内容】
【特許請求の範囲】
【請求項１】
筐体と、該筐体の中に設置された発熱部品と、該発熱部品に取付けられた受熱部材と、前記筐体の壁面の一部に取付けられた当該筐体内の空気を筐体外へ排気するためのファンと、ベースと該ベースに配列されたフィンとを有し前記ファンに対向して前記筐体の壁面の外側に若しくは当該壁面から外部に突出して前記フィンを筐体側に向けて取付けられたヒートシンクと、該ヒートシンクと前記受熱部材に接続された熱輸送手段とを具備することを特徴とする冷却機構を備えた電子機器。
【請求項２】
筐体と、該筐体の中に設置された発熱部品と、該発熱部品に取付けられた内部に液体の流路を有しかつ該液体の入口と出口を有する受熱部材と、前記筐体の壁面の一部に取付けられた当該筐体内の空気を筐体外へ排気するためのファンと、内部に液体の流路を有しかつ該液体の入口と出口を有するベースと該ベースに配列されたフィンとを有し前記ファンに対向して前記筐体の壁面の外側に若しくは当該壁面から外部に突出して前記フィンを筐体側に向けて取付けられたヒートシンクと、該ヒートシンクの液体流路の入口及び出口と前記受熱部材の液体流路の出口及び入口とを接続する配管と、該配管の途中に設けられたポンプとを具備することを特徴とする冷却機構を備えた電子機器。
【請求項３】
前記配管の途中にタンクが設けられることを特徴とする請求項２記載の冷却機構を備えた電子機器。
【請求項４】
筐体と、該筐体の中に設置された発熱部品と、該発熱部品に取付けられた受熱部材と、該受熱部材よりも高い位置で前記筐体の壁面の一部に取付けられた当該筐体内の空気を筐体外へ排気するためのファンと、ベースと該ベースに配列されたフィンとを有し前記ファンに対向して前記筐体の壁面の外側に若しくは当該壁面から外部に突出して前記フィンを筐体側に向けて取付けられたヒートシンクと、該ヒートシンクと前記受熱部材に接続されたヒートパイプとを具備することを特徴とする冷却機構を備えた電子機器。
【請求項５】
筐体と、該筐体の中に設置された発熱部品と、該発熱部品に取付けられた受熱部材と、吸気口を有するケースに収められた電源と、前記筐体の壁面の一部に取付けられた当該筐体内の空気を筐体外へ排気するためのファンと、該ファンの吸気側と前記電源のケースに形成された開口部とを接続するダクトと、ベースと該ベースに配列されたフィンとを有し前記ファンに対向して前記筐体の壁面の外側に若しくは当該壁面から外部に突出して前記フィンを筐体側に向けて取付けられたヒートシンクと、該ヒートシンクと前記受熱部材に接続された熱輸送手段とを具備することを特徴とする冷却機構を備えた電子機器。
【請求項６】
筐体と、該筐体の中に設置された発熱部品と、該発熱部品に取付けられた内部に液体の流路を有しかつ該液体の入口と出口を有する受熱部材と、吸気口を有するケースに収められた電源と、前記筐体の壁面の一部に取付けられた当該筐体内の空気を筐体外へ排気するためのファンと、該ファンの吸気側と前記電源のケースに形成された開口部とを接続するダクトと、内部に液体の流路を有しかつ該液体の入口と出口を有するベースと該ベースに配列されたフィンとを有し前記ファンに対向して前記筐体の壁面の外側に若しくは当該壁面から外部に突出して前記フィンを筐体側に向けて取付けられたヒートシンクと、該ヒートシンクの液体流路の入口及び出口と前記受熱部材の液体流路の出口及び入口とを接続する配管と、該配管の途中に設けられたポンプとを具備することを特徴とする冷却機構を備えた電子機器。
【請求項７】
前記配管の途中にタンクが設けられることを特徴とする請求項６記載の冷却機構を備えた電子機器。
【請求項８】
筐体と、該筐体の中に設置された発熱部品と、該発熱部品に取付けられた受熱部材と、吸気口を有するケースに収められた電源と、前記受熱部材よりも高い位置で前記筐体の壁面の一部に取付けられた当該筐体内の空気を筐体外へ排気するためのファンと、該ファンの吸気側と前記電源のケースに形成された開口部とを接続するダクトと、ベースと該ベースに配列されたフィンとを有し前記ファンに対向して前記筐体の壁面の外側に若しくは当該壁面から外部に突出して前記フィンを筐体側に向けて取付けられたヒートシンクと、該ヒートシンクと前記受熱部材に接続されたヒートパイプとを具備することを特徴とする冷却機構を備えた電子機器。
【請求項９】
筐体と、該筐体の中に設置された発熱部品と、該発熱部品に取付けられた受熱部材と、前記筐体の壁面の一部に取付けられた当該筐体内の空気を筐体外へ排気するためのファンと、該ファンの吸気側に取付けられた電源と、ベースと該ベースに配列されたフィンとを有し前記ファンに対向して前記筐体の壁面の外側に若しくは当該壁面から外部に突出して前記フィンを筐体側に向けて取付けられたヒートシンクと、該ヒートシンクと前記受熱部材に接続された熱輸送手段とを具備することを特徴とする冷却機構を備えた電子機器。
【請求項１０】
筐体と、該筐体の中に設置された発熱部品と、該発熱部品に取付けられた内部に液体の流路を有しかつ該液体の入口と出口を有する受熱部材と、前記筐体の壁面の一部に取付けられた当該筐体内の空気を筐体外へ排気するためのファンと、該ファンの吸気側に取付けられた電源と、内部に液体の流路を有しかつ該液体の入口と出口を有するベースと該ベースに配列されたフィンとを有し前記ファンに対向して前記筐体の壁面の外側に若しくは当該壁面から外部に突出して前記フィンを筐体側に向けて取付けられたヒートシンクと、該ヒートシンクの液体流路の入口及び出口と前記受熱部材の液体流路の出口及び入口とを接続する配管と、該配管の途中に設けられたポンプとを具備することを特徴とする冷却機構を備えた電子機器。
【請求項１１】
前記配管の途中にタンクが設けられることを特徴とする請求項１０記載の冷却機構を備えた電子機器。
【請求項１２】
筐体と、該筐体の中に設置された発熱部品と、該発熱部品に取付けられた受熱部材と、該受熱部材よりも高い位置で前記筐体の壁面の一部に取付けられた当該筐体内の空気を筐体外へ排気するためのファンと、該ファンの吸気側に取付けられた電源と、ベースと該ベースに配列されたフィンとを有し前記ファンに対向して前記筐体の壁面の外側に若しくは当該壁面から外部に突出して前記フィンを筐体側に向けて取付けられたヒートシンクと、該ヒートシンクと前記受熱部材に接続されたヒートパイプとを具備することを特徴とする冷却機構を備えた電子機器。
【請求項１３】
筐体と、該筐体の中に設置された発熱部品と、該発熱部品に取付けられた受熱部材と、前記筐体の開口を有する壁面にケースに収められ当該ケースの開口を有する面が取付けられた電源と、該電源のケースの前記筐体の壁面に取付けられた面以外の面に取付けられた当該筐体内の空気を前記電源を介して筐体外へ排気するためのファンと、ベースと該ベースに配列されたフィンとを有し前記電源に対向して前記筐体の壁面の外側に若しくは当該壁面から外部に突出して前記フィンを筐体側に向けて取付けられたヒートシンクと、該ヒートシンクと前記受熱部材に接続された熱輸送手段とを具備することを特徴とする冷却機構を備えた電子機器。
【請求項１４】
筐体と、該筐体の中に設置された発熱部品と、該発熱部品に取付けられた内部に液体の流路を有しかつ該液体の入口と出口を有する受熱部材と、前記筐体の開口を有する壁面にケースに収められ当該ケースの開口を有する面が取付けられた電源と、該電源のケースの前記筐体の壁面に取付けられた面以外の面に取付けられた当該筐体内の空気を前記電源を介して筐体外へ排気するためのファンと、内部に液体の流路を有しかつ該液体の入口と出口を有するベースと該ベースに配列されたフィンとを有し前記電源に対向して前記筐体の壁面の外側に若しくは当該壁面から外部に突出して前記フィンを筐体側に向けて取付けられたヒートシンクと、該ヒートシンクの液体流路の入口及び出口と前記受熱部材の液体流路の出口及び入口とを接続する配管と、該配管の途中に設けられたポンプとを具備することを特徴とする冷却機構を備えた電子機器。
【請求項１５】
前記配管の途中にタンクが設けられることを特徴とする請求項１４記載の冷却機構を備えた電子機器。
【請求項１６】
筐体と、該筐体の中に設置された発熱部品と、該発熱部品に取付けられた受熱部材と、該受熱部材よりも高い位置で前記筐体の開口を有する壁面にケースに収められ当該ケースの開口を有する面が取付けられた電源と、該電源のケースの前記筐体の壁面に取付けられた面以外の面に取付けられた当該筐体内の空気を前記電源を介して筐体外へ排気するためのファンと、ベースと該ベースに配列されたフィンとを有し前記電源に対向して前記筐体の壁面の外側に若しくは当該壁面から外部に突出して前記フィンを筐体側に向けて取付けられたヒートシンクと、該ヒートシンクと前記受熱部材に接続されたヒートパイプとを具備することを特徴とする冷却機構を備えた電子機器。
【請求項１７】
前記ヒートシンクのベース及びフィンは伝熱性の高い金属で構成され、該フィンは複数のピンの配列であることを特徴とする請求項１乃至１６のいずれか１項に記載の冷却機構を備えた電子機器。
【請求項１８】
前記ヒートシンクは前記筐体の外部からのケーブルが接続される背面に取付けられることを特徴とする請求項１乃至１７のいずれか１項に記載の冷却機構を備えた電子機器。
【請求項１９】
筐体と、
該筐体の中に設置された発熱部品と、
該発熱部品に取付けられ、当該発熱部品の発生熱を熱伝達媒体に伝える受熱ヘッダと、
前記筐体背面の外側に設けられ、前記発熱部品の発生熱を吸熱した熱伝達媒体を冷却する放熱部と、
前記熱伝達媒体を介して前記発熱部品の発生熱が前記受熱ヘッダから前記放熱部に熱輸送されるように前記受熱ヘッダと前記放熱部の間を接続する熱輸送路と、を備え、
前記放熱部は、前記筐体の上方向に対流のための通気路を有することを特徴とする電子機器。
【請求項２０】
前記熱伝達媒体は冷却液であって、
前記熱輸送路は、前記受熱ヘッダと前記放熱部を前記冷却液が還流するように接続し、かつ、
前記熱輸送路の途中に前記冷却液を循環させるポンプを有することを特徴とする請求項１９に記載の電子機器。
【請求項２１】
請求項１９あるいは請求項２０に記載の電子機器において、さらに、
前記筐体の中に収容された電源と、
前記筐体の中に設けられ、該筐体内の空気を当該筐体の外部に排気する軸流ファンと、を備え、
前記軸流ファンの吸気側に前記電源を配置して該電源を通って前記筐体内の空気を吸気し、前記軸流ファンの排気側に前記放熱部を配置して該放熱部を通って前記筐体外部に排気することを特徴とする電子機器。
【請求項２２】
請求項１９乃至請求項２１のいずれか１項に記載の電子機器において、
前記熱輸送路は、金属管とゴム性チューブから成り、
前記発熱部品と前記受熱ヘッドを離間可能にするように部分的にゴム性チューブを用いることを特徴とする電子機器。